(57)【特許請求の範囲】
【請求項１】
議事録の作成を支援する議事録作成支援装置であって、
会議の記事録から、予め記憶した第１の辞書に含まれない単語である特殊単語を抽出する特殊単語抽出手段と、
複数の利用者毎に、該利用者に対応する前記特殊単語を記憶した第２の辞書を記憶する記憶手段と、
前記特殊単語抽出手段により、作成中の前記会議の議事録から抽出された前記特殊単語が、前記会議の出席者に対応する前記第２の辞書の中に含まれているか否かを検索する未登録単語検索手段と、
前記未登録単語検索手段による検索の結果、前記会議の議事録から抽出された前記特殊単語のうち、前記会議の出席者に対応する前記第２の辞書の中に含まれていない前記特殊単語を通知する未登録単語通知手段と、
を有する議事録作成支援装置。
【請求項２】
前記特殊単語抽出手段により抽出された、過去に作成された議事録に含まれる前記特殊単語に基づき前記第２の辞書を作成する特殊単語辞書作成手段を有する請求項１記載の議事録作成支援装置。
【請求項３】
前記特殊単語抽出手段は、特殊単語の抽出対象である議事録において一定数以上記載されている前記特殊単語を抽出する請求項２記載の議事録作成支援装置。
【請求項４】
前記特殊単語抽出手段は、議事録に対応する会議の出席者を識別する識別情報と、該出席者が出席した会議の議事録に含まれる前記特殊単語とを抽出し、
前記特殊単語辞書作成手段は、前記特殊単語抽出手段により抽出された前記出席者の識別情報毎に前記第２の辞書を作成する請求項２又は３記載の議事録作成支援装置。
【請求項５】
前記特殊単語抽出手段は、議事録の閲覧者を識別する識別情報と、該閲覧者が閲覧した議事録に含まれる前記特殊単語とを抽出し、
前記特殊単語辞書作成手段は、前記特殊単語抽出手段により抽出された前記閲覧者の識別情報毎に前記第２の辞書を作成する請求項２又は３記載の議事録作成支援装置。
【請求項６】
前記特殊単語抽出手段は、作成中の議事録に記載されている発言者の識別情報と、該作成中の議事録に含まれる該発言者により発言された前記特殊単語とを抽出し、
前記未登録単語検索手段は、前記特殊単語抽出手段により抽出された特殊単語が、前記発言者の識別情報に対応した特殊単語辞書の中に含まれているかを検索する請求項４又は５記載の議事録作成支援装置。
【請求項７】
前記未登録単語検索手段は、前記特殊単語抽出手段により抽出された作成中の議事録に含まれる前記特殊単語が、議事録に対応する会議の全ての出席者の識別情報に対応した特殊単語辞書の中に含まれているかを検索する請求項４又は５記載の議事録作成支援装置。
【請求項８】
議事録の作成を支援する議事録作成支援装置であって、
会議の議事録から、予め記憶した第１の辞書に含まれない単語である特殊単語を抽出する特殊単語抽出手段と、
会議の種別を示す複数の会議名毎に、該会議名に対応する前記特殊単語を記憶した第２の辞書を記憶する記憶手段と、
前記特殊単語抽出手段により作成中の前記会議の議事録から抽出された前記特殊単語が、前記会議の会議名に対応する前記第２の辞書の中に含まれているか否かを検索する未登録単語検索手段と、
前記未登録単語検索手段による検索の結果、前記会議の議事録から抽出された前記特殊単語のうち、前記会議の会議名に対応する前記第２の辞書の中に含まれていない前記特殊単語を通知する未登録単語通知手段と、
を有する議事録作成支援装置。
【請求項９】
前記特殊単語抽出手段により抽出された、過去に作成された議事録に含まれる前記特殊単語に基づき前記第２の辞書を作成する特殊単語辞書作成手段を有し、
前記特殊単語抽出手段は、議事録に対応する会議の会議名と、該会議名と対応付けられた議事録に含まれる前記特殊単語とを抽出し、
前記特殊単語辞書作成手段は、前記特殊単語抽出手段により抽出された前記会議名と前記特殊単語とが対応付けられた前記会議名毎の前記第２の辞書を作成する請求項８記載の議事録作成支援装置。
【請求項１０】
前記特殊単語抽出手段は、一定の期間内に作成された議事録に含まれる前記特殊単語を抽出する請求項３記載の議事録作成支援装置。
【請求項１１】
前記未登録単語通知手段は、未登録単語の通知とともに、該未登録単語を前記第２の辞書に登録するか否かを議事録作成者に問い合わせる請求項１乃至１０のいずれか一項記載の議事録作成支援装置。
【請求項１２】
前記第１の辞書は、
一般的に用いられる電子辞書である一般辞書であることを特徴とする請求項１乃至１１のいずれか一項に記載の議事録作成支援装置。
【請求項１３】
前記第２の辞書は、
複数の利用者毎に、該利用者に対応する前記一般辞書に含まれない単語である前記特殊単語を記憶した特殊単語辞書であることを特徴とする請求項１２に記載の議事録作成支援装置。
【請求項１４】
議事録の作成を支援する議事録作成支援装置と、前記議事録作成支援装置にネットワークを介して接続される端末装置とを含む議事録作成支援システムであって、
会議の記事録から、予め記憶した第１の辞書に含まれない単語である特殊単語を抽出する特殊単語抽出手段と、
複数の利用者毎に、該利用者に対応する前記特殊単語を記憶した第２の辞書を記憶する記憶手段と、
前記特殊単語抽出手段により、作成中の前記会議の議事録から抽出された前記特殊単語が、前記会議の出席者に対応する前記第２の辞書の中に含まれているか否かを検索する未登録単語検索手段と、
前記未登録単語検索手段による検索の結果、前記会議の議事録から抽出された前記特殊単語のうち、前記会議の出席者に対応する前記第２の辞書の中に含まれていない前記特殊単語を前記端末装置に通知する未登録単語通知手段と、
を有する議事録作成支援システム。
【請求項１５】
議事録の作成を支援するコンピュータを、
会議の記事録から、予め記憶した第１の辞書に含まれない単語である特殊単語を抽出する特殊単語抽出手段と、
複数の利用者毎に、該利用者に対応する前記特殊単語を記憶した第２の辞書を記憶する記憶手段と、
前記特殊単語抽出手段により、作成中の前記会議の議事録から抽出された前記特殊単語が、前記会議の出席者に対応する前記第２の辞書の中に含まれているか否かを検索する未登録単語検索手段と、
前記未登録単語検索手段による検索の結果、前記会議の議事録から抽出された前記特殊単語のうち、前記会議の出席者に対応する前記第２の辞書の中に含まれていない前記特殊単語を通知する未登録単語通知手段と、
として機能させるためのプログラム。
【請求項１６】
議事録の作成を支援する議事録作成支援装置による議事録作成支援方法であって、
前記議事録作成支援装置は、複数の利用者毎に、該利用者に対応する予め記憶した第１の辞書に含まれない単語である特殊単語を記憶した第２の辞書を記憶する記憶手段を有し、
前記議事録作成支援装置が、
会議の記事録から、前記特殊単語を抽出するステップと、
前記抽出するステップにより、作成中の前記会議の議事録から抽出された前記特殊単語が、前記会議の出席者に対応する前記第２の辞書の中に含まれているか否かを検索するステップと、
前記検索するステップによる検索の結果、前記会議の議事録から抽出された前記特殊単語のうち、前記会議の出席者に対応する前記第２の辞書の中に含まれていない前記特殊単語を通知するステップと、
を含む議事録作成支援方法。
【発明の詳細な説明】
【技術分野】
【０００１】
本発明は、議事録作成支援装置、議事録作成支援システム、議事録作成支援方法、及びプログラムに関する。
【背景技術】
【０００２】
会議議事録には、会議終了後できる限り速やかに作成する迅速性と、議事内容や語の正確性とが要求される。一方、議事録の作成には内容の推敲や文章の校正のため、一定の時間や手間がかかるのが実態である。
【０００３】
そこで従来、議事録作成の効率化を図る目的で、会議中に発話した音声を文字情報に変換し、かつ発話者を特定するとともに変換した文字情報と発話者とを対応付けて、議事録を作成するという技術が開示されている（引用文献１）。
【０００４】
また、ワープロソフトのＭｉｃｒｏｓｏｆｔ  Ｗｏｒｄ（ＭＳ  Ｗｏｒｄ）(登録商標）にはスペルチェック機能及び文章校正機能が具備されており、入力したスペルが誤っていた場合や助詞の活用が誤っていたり、表記の揺らぎ（例えば、「プリンタ」と「プリンター」）があった場合は、該当する箇所がユーザに通知される。
【発明の概要】
【発明が解決しようとする課題】
【０００５】
しかしながら、引用文献１の技術では、議事録作成の効率化を図ることはできるが、音声から変換された文字情報が正しい語であるかは、人による確認作業が必要である。
【０００６】
また、ワープロソフトに具備されている機能では、一般に用いられる語、例えば一般の英語の辞典や国語辞典に記載されている語に関するスペルチェックや文章校正のチェックに限られる。すなわち、例えば、特定の技術分野において用いられる専門用語や略語の誤入力・誤変換についてはチェックすることができない。
【０００７】
そこで、本発明は上記問題に鑑みてなされたものであって、議事録の作成中に、一般の辞書等には掲載されていない専門用語や略語等を自動的に議事録の作成者に通知することにより、議事録作成者が即時に議事録の誤記の有無を確認し、誤記があった場合は議事録の校正ができる議事録作成支援装置及び議事録作成支援システムの提供を課題とする。
【課題を解決するための手段】
【０００８】
そこで上記課題を解決するため、本発明は、議事録の作成を支援する議事録作成支援装置であって、会議の議事録から、予め記憶した第１の辞書に含まれない単語である特殊単語を抽出する特殊単語抽出手段と、複数の利用者毎に、該利用者に対応する前記特殊単語を記憶した第２の辞書を記憶する記憶手段と、前記特殊単語抽出手段により、作成中の議事録から抽出された前記特殊単語が、前記会議の出席者に対応する前記第２の辞書の中に含まれているか否かを検索する未登録単語検索手段と、前記未登録単語検索手段による検索の結果、前記会議の議事録から抽出された前記特殊単語のうち、前記会議の出席者に対応する前記第２の辞書の中に含まれていない前記特殊単語を通知する未登録単語通知手段と、を有する。
【発明の効果】
【０００９】
本発明によれば、議事録の作成中に、一般の辞書等には掲載されていない専門用語や略語を自動的に議事録の作成者に通知するため、即時に議事録の誤記の有無を確認し、誤記があった場合は議事録の校正をすることができる。
【図面の簡単な説明】
【００１０】
【図１】本発明の実施の形態における議事録作成支援システムの構成例を示す図である。
【図２】本発明の実施の形態における議事録作成支援装置のハードウェア構成の一例を示す図である。
【図３】本発明の実施の形態における端末装置のハードウェア構成の一例を示す図である。
【図４】本発明の実施の形態における議事録作成支援装置の機能構成の一例を示す図である。
【図５】本発明の実施の形態における過去議事録記憶部の情報の構成の一例を示す図である。
【図６】本発明の実施の形態における特殊単語辞書記憶部の情報の構成の一例を示す図である。
【図７】本発明の実施の形態における特殊単語辞書を作成する動作手順の一例を示すシーケンス図である。
【図８】本発明の実施の形態における特殊単語を抽出する処理手順の一例を示すフローチャート図である。
【図９】本発明の実施の形態における使用頻度を考慮した単語抽出処理手順の一例を示すフローチャート図である。
【図１０】本発明の実施の形態における作成中の議事録から未登録単語を検索する動作手順の一例を示す図である。
【図１１】本発明の実施の形態における作成中の議事録から発言者毎に抽出した特殊単語の構成の一例を示す図である。
【図１２】本発明の実施の形態における登録する特殊単語を選択するユーザインタフェース画面の一例を示す図である。
【図１３】本発明の実施形態の第一の変形例における特殊単語辞書記憶部の情報の構成の一例を示す図である。
【図１４】本発明の実施形態の第一の変形例における作成する辞書を選択するユーザインタフェース画面の一例を示す図である。
【図１５】本発明の実施形態の第一の変形例における使用する辞書を選択するユーザインタフェース画面の一例を示す図である。
【図１６】本発明の実施形態の第一の変形例における発言者情報の使用有無を選択するユーザインタフェース画面の一例を示す図である。
【図１７】本発明の実施形態の第一の変形例における作成中の議事録から未登録単語を検索する動作手順の一例を示す図である。
【図１８】本発明の実施形態の第二の変形例における特殊単語を抽出する処理手順の一例を示すフローチャート図である。
【発明を実施するための形態】
【００１１】
以下、本発明の実施の形態について、図面を用いて説明する。
［システム構成］
図１は、本発明の実施の形態における議事録作成支援システム１の構成例を示す図である。図１に示す議事録作成支援システム１は、議事録作成支援装置１０とｎ台の端末装置２０ａ、２０ｂ、・・・２０ｎ（以下、それぞれを区別しない場合「端末装置２０」という。）とを有する。議事録作成支援装置１０と端末装置２０とは、ＬＡＮ（Local Area Network）又はインターネット等のネットワーク９９（有線又は無線の別は問わない）を介して、通信可能に接続されている。
【００１２】
議事録作成支援システム1とは、情報検索処理、情報記憶処理及び情報抽出処理等を実行するシステムである。議事録作成支援システム1は、次のように動作する。
【００１３】
（１）特定の分野における専門用語やある組織内で慣用的に使われている単語、略語といった特殊な単語（以下、「特殊単語」という。）から構成される辞書（以下、「特殊単語辞書」という。）を作成する。
【００１４】
（２）作成中の議事録に含まれる単語が、その特殊単語辞書の中に登録されているか否かを検索する。
【００１５】
（３）検索の結果、登録されていない場合は議事録作成者に単語が未登録であることを通知する。
【００１６】
以上より、作成中の議事録内の誤入力や誤変換と推測される単語を議事録作成支援システム１が自動的に議事録作成者に通知することにより、議事録作成者は正しい単語を確認し、誤記がある場合は単語を校正することができる。
【００１７】
議事録作成支援装置１０は、情報検索機能、情報記憶機能及び通信機能等を有する機器である。本実施形態において、議事録作成支援装置１０には、端末装置２０により過去に作成された議事録及び作成中の議事録が保存されている。また、保存されている過去の議事録に含まれる特殊単語を抽出し、抽出した単語に基づき特殊単語辞書を作成し、記憶する。さらに、作成中の議事録に含まれる特殊単語を抽出し、抽出された特殊単語が特殊単語辞書に登録されているかを検索する。
【００１８】
端末装置２０は、議事録等の文書データ作成・編集機能及び文書データ閲覧機能及び通信機能等を有する機器である。本実施形態において、端末装置２０には、電子的な文書データを作成するための文書データ作成・編集用プログラム（ワープロソフト）がインストールされている。文書データ作成・編集用プログラムとは、例えばＭｉｃｒｏｓｏｆｔ  Ｗｏｒｄ（ＭＳ  Ｗｏｒｄ）である。また、文書データの作成・編集には、表計算ソフト等が用いられてもよい。端末装置２０は、議事録等の文書作成や議事録作成支援装置２０に保存されている議事録ファイルの閲覧等のために用いられる。端末装置２０の一例として、ＰＣ（Personal Computer）等が挙げられる。
［ハードウェア構成］
＜議事録作成支援装置＞
図２は、本発明の実施の形態における議事録作成支援装置１０のハードウェア構成の一例を示す図である。図２において、議事録作成支援装置１０は、ＣＰＵ１０１、ＲＯＭ１０２、ＲＡＭ１０３、ＨＤＤ１０４、ＮＶＲＡＭ１０５、ネットワークＩ／Ｆ１０６、表示部１０７、操作部１０８、メディアドライブ１０９、ＣＤ−ＲＯＭドライブ１１０、外部装置Ｉ／Ｆ１１１、バスライン１１２等を有する。
【００１９】
ＲＯＭ１０２には、例えば議事録作成支援装置用プログラムやプログラムによって利用されるデータ等が記憶されている。ＲＡＭ１０３は、プログラムをロードするための記憶領域やロードされたプログラムのワーク領域等として用いられる。ＣＰＵ１０１は、ＲＡＭ１０３にロードされた情報入力装置用プログラムを処理することにより、各種の機能を実現する。ＨＤＤ(Hard Disk Drive)１０４は、ＣＰＵ１０１の制御に従って、各種データが記憶されたＨＤ(Hard Disk)１０４ａに対するデータの読み出し又は書き込みを制御する。ＮＶＲＡＭ１０５には、議事録作成支援装置１０の各種の設定情報等が記憶される。
【００２０】
ネットワークＩ／Ｆ１０６は、ＬＡＮ等のネットワーク９９（有線又は無線の別は問わない。）に接続するためのハードウェアである。
【００２１】
表示部１０７は、ユーザに対して、カーソル、メニュー、ウィンドウ、文字又は画像等の各種情報の表示出力がされる液晶や有機ＥＬ等のユーザインタフェース画面である。
【００２２】
操作部１０８は、ユーザが設定や命令等の入力操作を行うためのハードキー、ボタン、マウス及びタッチパネル等によるソフトキーである。操作内容はＣＰＵ１０１に通知される。
【００２３】
なお、表示部１０７は、操作部１０８を一体にしたタッチパネルであってもよい。
【００２４】
メディアドライブ１０９は、フラッシュメモリ等の記録メディア１０９ａに対するデータの読み出し又は書き込み（記憶）を制御する。
【００２５】
ＣＤ−ＲＯＭドライブ１１０は、着脱可能な記録媒体の一例としてのＣＤ−ＲＯＭ(Compact Disc Read Only Memory)１１０ａに対するデータの読み出し又は書き込みを制御する。
【００２６】
外部装置Ｉ／Ｆ１１１は、外部の装置と情報を送受信する。
【００２７】
バスライン１１２は、上記各構成要素を図２に示されているように電気的に接続するためのアドレスバスやデータバス等である。
【００２８】
なお、プログラムは、インストール可能な形式又は実行可能な形式のファイルで、上記記録メディア１０９ａやＣＤ−ＲＯＭ１１０ａ等のコンピュータで読み取り可能な記録媒体に記録され、ＲＡＭ１０３にロードされてもよい。
【００２９】
＜端末装置＞
図３は、本発明の実施の形態における端末装置２０のハードウェア構成の一例を示す図である。図３において、端末装置２０は、ＣＰＵ２０１、ＲＯＭ２０２、ＲＡＭ２０３、ＨＤＤ２０４、ＮＶＲＡＭ２０５、ネットワークＩ／Ｆ２０６、表示部２０７、操作部２０８、メディアドライブ２０９、ＣＤ−ＲＯＭドライブ２１０、外部装置Ｉ／Ｆ２１１、バスライン２１２等を有する。
【００３０】
ＲＯＭ２０２には、例えば文書データ作成・編集用プログラムを含む各種の端末装置用プログラムやプログラムによって利用されるデータ等が記憶されている。ＣＰＵ２０１は、ＲＡＭ２０３にロードされた端末装置用プログラムを処理することにより、各種の機能を実現する。
【００３１】
また、上記以外のＨＤＤ２０４、ＮＶＲＡＭ２０５、ネットワークＩ／Ｆ２０６、表示部２０７、操作部２０８、メディアドライブ２０９、ＣＤ−ＲＯＭドライブ２１０、外部装置Ｉ／Ｆ２１１、バスライン２１２は、図２のＨＤＤ１０４、ＮＶＲＡＭ１０５、ネットワークＩ／Ｆ１０６、表示部１０７、操作部１０８、メディアドライブ１０９、ＣＤ−ＲＯＭドライブ１１０、外部装置Ｉ／Ｆ１１１、バスライン１１２に、それぞれ対応する。そのため説明は省略する。
【００３２】
＜ハードウェアの動作概要＞
本発明の実施の形態では、以下のようにハードウェアが動作する。
【００３３】
（１）議事録作成支援装置１０のＨＤ１０４ａやメモリ内の特定のフォルダには、過去に作成された議事録ファイル（以下、「過去議事録」という。）が記憶されている。議事録ファイルは、例えばＭＳ  Ｗｏｒｄ形式で作成され、保存されている。
【００３４】
（２）ＣＰＵ１０１は、予め指定された時刻に起動する特殊単語辞書作成プログラムの指示に基づき、ＨＤ１０４ａに記憶されている過去議事録に含まれる特殊単語を抽出し、ＲＡＭ１０３又はＮＶＲＡＭ１０５等に一時記憶する。ＣＰＵ１０１は、ＲＡＭ１０３又はＮＶＲＡＭ１０５等に記憶されている特殊単語を、多数の特殊単語が集録され配列されている特殊単語辞書としてＨＤ１０４ａの特定のフォルダに記憶する。なお、特殊単語辞書は、通常の辞書と異なり、個々の語の意味・用法又はその示す内容に関する情報を含まなくてもよい。なお、特殊単語は一般の国語辞典・英語辞典等に記載された単語を排除した単語である。
【００３５】
以上、（１）、（２）により特殊単語辞書が作成される。
【００３６】
（３）端末装置２０のユーザ（議事録作成者）は、操作部２０８であるキーボードやマウス等を用いて、議事録を作成するためのワープロソフトとしてＭＳ  Ｗｏｒｄを起動する。操作部１０８からＣＰＵ１０１に入力内容が通知されると、ＣＰＵ１０１は、予めＨＤ１０４ａ又はメモリ等にインストールされているＭＳ  Ｗｏｒｄを起動する。議事録作成者はキーボード等を操作し、ＭＳ  Ｗｏｒｄを用いて議事録を作成する。
【００３７】
（４）議事録作成者は、作成中の議事録ファイル(以下「作成中議事録」という。）を議事録作成支援装置１０に保存する。ここで本実施形態では、作成中議事録の保存先には、議事録作成支援装置１０のＨＤ１０４ａやメモリ内の特定のフォルダを指定する。端末装置２０から議事録作成支援装置１０へのデータの転送はＦＴＰ（File Transfer Protocol）等を利用する。
【００３８】
（５）議事録作成支援装置１０のＨＤ１０４ａに作成中議事録が保存されることを契機に、ＣＰＵ１０１は、作成中議事録に含まれる特殊単語を抽出し、ＮＶＲＡＭ１０５に１０５に一時記憶する。なお、作成中議事録に含まれる特殊単語が抽出される契機は、議事録ファイルの保存時に限らず、例えば、議事録作成支援プログラムにおいて特殊単語の抽出処理を実行するボタン（ソフトキー）等を作成し、そのボタンの押下を契機としてもよい。続いて、ＣＰＵ１０１は、作成中議事録から抽出された特殊単語が、ＨＤ１０４ａに記憶されている特殊単語辞書の中に登録されているか検索する。ＣＰＵ１０１は検索の結果、作成中議事録から抽出された特殊単語が未登録である場合、未登録である単語(以下、「未登録単語」という。）をＲＡＭ１０３又はＮＶＲＡＭ１０５等に一時記憶する。
【００３９】
（６）ＣＰＵ１０１は、端末装置２０に、未登録単語を通知する。本実施の形態において、未登録単語の通知は、ＭＳ  Ｗｏｒｄの編集機能が用いられ、例えば作成中議事録の未登録単語の箇所に下線部を引いたり、文字の色を変更する等により行われる。
【００４０】
以上、（３）〜（６）により、作成中議事録に含まれる特殊単語の特殊単語辞書における登録有無の確認及び未登録単語の議事録作成者への通知が行われる。
［機能構成］
図４は、本発明の実施の形態における議事録作成支援装置１０の機能構成の一例を示す図である。各機能はＣＰＵ１０１がプログラムを実行し、ハードウェアと協働することで実現される。
【００４１】
議事録作成支援装置１０は、議事録作成支援装置本体１０ａ及びデータ記憶部１２０等を有する。
【００４２】
データ記憶部１２０には、作成中議事録記憶部１２１、過去議事録記憶部１２２、特殊単語辞書記憶部１２３及び一般辞書記憶部１２４等が含まれる。データ記憶部１２０には、図２のＲＯＭ１０２やＲＡＭ１０３、ＨＤＤ１０４及びＮＶＲＡＭ１０５が用いられる。
【００４３】
作成中議事録記憶部１２１には、端末装置２０のユーザである議事録作成者が、例えばＭＳ  Ｗｏｒｄを用いて作成した議事録ファイルが記憶される。特殊単語辞書において、作成中議事録記憶部１２１に記憶される議事録ファイル内の特殊単語と同一の単語が登録されているか否かが検索される。
【００４４】
過去議事録記憶部１２２に記憶される情報の構成の一例を図５に示す。過去議事録記憶部１２２には、議事録ファイルの名称を示す「議事録ファイル名」、過去議事録のデータ記憶部１２２内の保存先を示す「ファイル格納先アドレス」、議事録が作成された日時を示す「議事録作成日時」、議事録に対応する会議の名称又は種別を示す「会議名」、議事録に記載されている会議の出席者を示す「出席者名」及び過去議事録記憶部１２２に記憶されている議事録ファイルにアクセスし閲覧したユーザの履歴を示す「議事録閲覧者名」等が含まれる。なお、「出席者名」及び「閲覧者名」は、氏名であっても、個人を識別するＩＤであってもよい。
【００４５】
特殊単語辞書記憶部１２３に記憶される情報の構成の一例を図６に示す。本実施形態では、過去議事録記憶部１２２に記憶されている「出席者名」毎に、出席者が出席した会議に対応する過去議事録に含まれる特殊単語が「登録単語」欄に記載されている。
【００４６】
一般辞書記憶部１２４には、一般的に用いられる国語辞典・英語の辞典等の電子データが内蔵されている電子辞書（以下、「一般辞書」という。）が記憶されている。一般辞書は例えば市販されている電子辞書であってもよい。但し、一般辞書には語の意味、用法又は内容が掲載されていなくてもよい。
【００４７】
議事録作成支援装置本体１０ａは、特殊単語辞書作成・管理手段１１、特殊単語抽出手段１２、未登録単語検索手段１３及び未登録単語通知・登録確認手段１４等を有する。
【００４８】
特殊単語辞書作成・管理手段１１は、予め時間指定により定期起動する特殊単語辞書作成プログラムからの特殊単語辞書作成指示に基づき、過去議事録に含まれる特殊単語に基づき、特殊単語辞書を作成する。具体的には、特殊単語辞書作成指示を受け付けると、特殊単語抽出手段１２に、過去議事録に含まれる特殊単語の抽出を要求する。そして、その要求に対する応答には、特殊単語と会議出席者を識別する識別情報（例えば、会議出席者名）が含まれている。これらの特殊単語と会議出席者名に基づき特殊単語辞書を作成する。また、特殊単語辞書作成・管理手段１１は、未登録単語検索手段１３からの未登録単語検出要求を受け付けると、作成中議事録に含まれる特殊単語が特殊単語辞書に登録されているか否かを検索する。
【００４９】
特殊単語抽出手段１２は、作成中議事録又は過去議事録に含まれる特殊単語を一定の基準に基づき抽出する。特殊単語辞書作成・管理手段１１からの特殊単語辞書を作成するための特殊単語抽出要求に基づき、過去議事録記憶部１２２に記憶される過去議事録から特殊単語を抽出する。また、作成中議事録の保存処理を契機に、作成中議事録記憶部１２１に記憶される作成中議事録から特殊単語を抽出する。作成中議事録から抽出した特殊単語を未登録単語検索手段１３に通知する。
【００５０】
未登録単語検索手段１３は、作成中議事録に含まれる特殊単語が、特殊単語辞書に登録されているか否かを検索する。特殊単語抽出手段１２からの未登録単語検索要求を受け付けると、特殊単語辞書作成・管理手段１１に、未登録単語検索要求を通知する。続いて、未登録単語検索手段１３は、特殊単語辞書作成・管理手段１１からの未登録単語リストが指定された検索結果を受け付けると、議事録作成者に検索結果を通知するための未登録単語通知要求を、未登録単語通知・登録確認手段１４に通知する。
【００５１】
未登録単語通知・登録確認手段１４は、未登録単語検索手段１３からの未登録単語通知要求を受け付けると、当該要求に含まれる未登録単語リストに基づき、作成中議事録内の特殊単語を編集し、例えば該当する特殊単語に下線部を引いたりする。また、未登録単語を特殊単語辞書に新たに登録するか否かを議事録作成者に問い合わせるためのユーザインタフェース画面を生成する。
【００５２】
議事録作成支援システム1は、上述したように、次の処理を行う。
【００５３】
（Ａ）特殊単語辞書の作成。（Ｂ）作成中議事録内の未登録単語の検索。検索結果の議事録作成者への通知。以下において、（Ａ）・（Ｂ）それぞれの動作手順について説明する。
〔（Ａ）特殊単語辞書の作成〕
［動作手順］
図７は、本発明の実施の形態における特殊単語辞書を作成する動作手順の一例を示すシーケンス図である。本実施形態では、図６に示されるような会議の出席者名毎の特殊単語辞書を作成する。
【００５４】
特殊単語辞書の作成は、予め指定された時刻（例えば、午前０時）に起動する特殊単語辞書作成プログラムによる指示に基づき実行される。ここで、このプログラムの起動時刻を例えばＣＰＵ１０１等の処理負荷が小さい夜間に設定することで、大量の議事録ファイルから辞書作成をするのに要する十分な時間を確保し、また他の処理への影響を軽減することができる。Ｗｉｎｄｏｗｓ  ＯＳ（登録商標）に備わっているタスクスケジューラやＬｉｎｕｘ  ＯＳ（登録商標）におけるｃｒｏｎｔａｂコマンドによりプログラムの時刻指定をする。
【００５５】
Ｓ１０１：特殊単語辞書作成・管理手段１１は、指定時刻に起動された特殊単語辞書作成プログラムによる指示に基づき、過去議事録に含まれる特殊単語を抽出するため特殊単語抽出要求を特殊単語抽出手段１２に通知する。
【００５６】
Ｓ１０２：特殊単語抽出手段１２が、特殊単語抽出要求を受け付けると、過去議事録記憶部１２２に記憶されている出席者名（ユーザ名）と、この出席者名に対応する過去議事録に含まれる特殊単語とを抽出する。すなわち、あるユーザが複数の会議に出席した場合は、複数の会議の議事録が特殊単語の抽出対象として指定される。また、本実施の形態において、一定頻度以上使用されている特殊単語のみを抽出する。頻度は、議事録中に記載されている特殊単語の数である。特殊単語の抽出において使用頻度を考慮することにより、議事録に誤って記載されてしまった単語の抽出を除外することが可能となる。なお、特殊単語の抽出の詳細な処理手順は、図８及び図９を用いて後述する。
【００５７】
Ｓ１０３：特殊単語抽出手段１２は、過去議事録記憶部１２２からユーザ名とそのユーザ名に対応付けられた特殊単語を、ユーザ名毎に取得する。
【００５８】
Ｓ１０４：特殊単語抽出手段１２は、ユーザ名毎に対応付けられた特殊単語が含まれた特殊単語抽出要求の応答を、特殊単語辞書作成・管理手段１１に通知する。
【００５９】
Ｓ１０５：特殊単語辞書作成・管理手段１１は、ユーザ名毎に対応付けられた特殊単語を取得すると、ユーザ毎の特殊単語辞書を作成する。ここで、複数のユーザの情報を取得した場合、まずユーザＡの辞書を作成する。特殊単語辞書作成・管理手段１１は、特殊単語辞書の「出席者名」欄をユーザＡ、「登録単語」欄を取得した特殊単語を設定し、特殊単語辞書記憶部１２３に記憶する。
【００６０】
Ｓ１０６：ユーザＡの特殊単語辞書の作成が完了する。
【００６１】
Ｓ１０７：ステップＳ１０５と同様な処理がユーザＢに実行される。
【００６２】
Ｓ１０８：ユーザＢの特殊単語辞書の作成が完了する。
【００６３】
以降、ステップＳ１０４において取得したユーザ数分、辞書作成処理（ステップＳ１０５・１０６）が実行される。
【００６４】
［単語抽出処理手順］
図８は、本発明の実施の形態における特殊単語抽出手段１２が過去議事録に含まれる特殊単語を抽出する処理手順の一例を示すフローチャート図である。
【００６５】
まず特殊単語抽出手段１２は、過去議事録記憶部１２２に記憶されている議事録作成日時が、前回実行された特殊単語抽出処理の日時より新しいか否かを判定する（Ｓ１１）。前回実行された単語抽出日時より新しい作成日時の過去議事録が存在しない場合（Ｓ１１においてＮＯ）、議事録から単語を抽出せず処理を終了する（Ｓ２３）。一方、前回実行された単語抽出日時より新しい作成日時の過去議事録が存在する場合（Ｓ１１においてＹＥＳ）、特殊単語の抽出対象とする範囲を、前回の単語抽出日時以降の作成日時の過去議事録を指定する（Ｓ１２）。なお、ステップＳ１１において前回抽出日時が存在しない場合、すなわち初めて特殊単語辞書を作成する場合は、ステップＳ１２において過去議事録記憶部１２２に記憶されている全ての議事録が抽出対象として指定される。続いて、最初に単語抽出を行う議事録として、作成日時が最も古い議事録を設定する（Ｓ１３）。なお、最初に単語抽出を行う議事録の選択方法は、作成日時の昇順だけでなく、例えば作成日時の降順等、複数の議事録ファイルにおいて同一ファイルが複数回選択されない方法であればよい。続いて、単語抽出対象と設定された過去議事録の中から全ての単語を抽出する（Ｓ１４）。全ての単語には、特殊単語及び一般的に用いられる単語が含まれる。単語の抽出処理は、過去議事録に含まれるテキストデータの中から例えばｐｅｒｌ等の正規表現によるパターンマッチング処理を用いて実行される。続いて、ステップＳ１４において抽出された単語が特殊単語であるか否かが判定される（Ｓ１５）。抽出された単語が特殊単語である否かは、抽出された単語が、一般辞書記憶部１２４に記憶されている一般辞書に含まれるか否かにより判定する。すなわち、抽出された単語が一般辞書に含まれない場合、その単語を特殊単語とする。抽出された単語が特殊単語である場合（Ｓ１５においてＹＥＳ）、特殊単語から構成される抽出候補リストが作成される（Ｓ１６）。続いて、抽出候補リストに載っている特殊単語が一定頻度以上使用されているか否かが判定される（Ｓ１７）。ステップＳ１７における詳細な処理手順は、図９を用いて後述する。ここで、一定頻度以上使用されている場合（Ｓ１７においてＹＥＳ）、議事録から抽出する特殊単語を、ＲＡＭ１０３又はＮＶＲＡＭ１０５等の一時記憶領域に記憶する（Ｓ１８）。一方、一定頻度以上使用されていない場合（Ｓ１７においてＮＯ）、又はステップＳ１５において単語が特殊単語ではないと判定された場合（Ｓ１５においてＮＯ）、単語を抽出しない（Ｓ１９）。続いて、ステップＳ１８又はＳ１９の処理終了後、過去議事録記憶部１２２の中に、前回抽出日時より新しい作成日時の議事録のうち、次に作成日時が古い議事録が存在するか否かが判定される（Ｓ２０）。次に古い議事録が存在する場合（Ｓ２０においてＹＥＳ）、単語を抽出する対象の議事録として、作成日時が次に古い議事録を設定する（Ｓ２１）。続いて、ステップＳ１４以降の処理が繰り返される（Ｓ１４〜Ｓ２０）。ステップＳ２０において、過去議事録記憶部１２２の中に、次に作成日時の古い議事録が存在しないと判定された場合（Ｓ２０においてＮＯ）、既に一時記憶領域に記憶されていた特殊単語を抽出する（Ｓ２２）。
【００６６】
［使用頻度を考慮した単語抽出処理手順］
図９は、本発明の実施の形態における使用頻度を考慮した単語抽出処理手順の一例を示すフローチャート図である。ここで使用頻度とは、議事録内に記載されている単語の数である。例えば、議事録に「ＨＴＴＰ」という単語が２個記載されている場合、使用頻度は「２」となる。図９は、図８のステップＳ１７の処理手順を詳細に説明したものである。
【００６７】
図９の初期状態は、議事録に含まれる特殊単語が、抽出候補リストに記憶されている状態である（Ｓ３１）。以降、具体例を挙げて説明する。ここで、例えば、議事録には「ＨＴＴＰ、ＷＷＷ、ＨＴＴＰ」の順に特殊単語が３個記載されている場合、すなわちこれらの単語が抽出候補リストに記憶されている場合の処理手順を説明する。
【００６８】
まず、抽出するか否かの検討対象とする抽出検討対象の単語を指定する。最初の抽出検討対象の単語は、抽出候補リストに含まれる単語を単語名の昇順に並べ替えた場合（「ＨＴＴＰ、ＨＴＴＰ、ＷＷＷ」）の最初の単語（一つ目の「ＨＴＴＰ」）が指定される（Ｓ３２）。なお、抽出候補リスト上の単語から抽出検討対象とする単語の指定方法は、単語名の昇順に限らず、例えば単語名の降順等、抽出対象リスト上の単語において一度抽出対象として指定された単語が複数回指定されない方法であればよい。続いて、例えばＲＡＭ１０３のような一時記憶領域に、昇順の最初の単語（一つ目の「ＨＴＴＰ」）と、その単語の使用頻度「１」とが記憶される（Ｓ３３）。続いて、抽出候補リストに含まれる単語を単語名の昇順に並べ替えた場合（「ＨＴＴＰ、ＨＴＴＰ、ＷＷＷ」）、次の単語が存在するか否かが判定される（Ｓ３４）。この場合、抽出候補リストに次の単語（２つ目の「ＨＴＴＰ」）が存在する（Ｓ３４においてＹＥＳ）ため、次の抽出候補の単語は、単語を単語名の昇順に並べ替えた場合の次の単語（２つ目の「ＨＴＴＰ」）が指定される（Ｓ３５）。続いて、一時記憶領域に、同一の単語が記憶されているか否かが判定される（Ｓ３６）。今回の例では、ステップＳ３３において記憶された一つ目の「ＨＴＴＰ」と、ステップＳ３５において指定された２つ目の「ＨＴＴＰ」は同一の単語である（Ｓ３６においてＹＥＳ）。この場合、一時記憶領域に記憶されている「ＨＴＴＰ」の使用頻度は「１」加算され、使用頻度は「２」として記憶される（Ｓ３７）。
【００６９】
続いて、ステップＳ３４の処理が再度実行される。抽出候補リストの昇順（「ＨＴＴＰ、ＨＴＴＰ、ＷＷＷ」）において、２つ目の「ＨＴＴＰ」の次の単語（「ＷＷＷ」）が存在する（Ｓ３４においてＹＥＳ）ため、ステップＳ３５の処理が上記同様に実行される。ここで、ステップＳ３６において、一時記憶領域には「ＷＷＷ」と同一の単語が記憶されていない（Ｓ３６においてＮＯ）ため、一時記憶領域に対象の単語（「ＷＷＷ」）とその単語の使用頻度「１」とが記憶される（Ｓ３８）。
【００７０】
続いて、ステップＳ３４の処理が再度実行される。抽出候補リストの昇順（「ＨＴＴＰ、ＨＴＴＰ、ＷＷＷ」）において、「ＷＷＷ」の次の単語が存在しない（Ｓ３４においてＮＯ）。ここで、例えば、議事録から特殊単語を抽出する使用頻度の基準を２以上とする。すると一時記憶領域に記憶されている単語は、「ＨＴＴＰ」が使用頻度「２」、「ＷＷＷ」が使用頻度「１」であるので、使用頻度が「２」以上である特殊単語「ＨＴＴＰ」が抽出される（Ｓ３９）。
【００７１】
上述したように、特殊単語の抽出時において使用頻度の基準を設定することによって、誤って議事録に記載された誤記を含む単語を特殊単語辞書に登録する可能性を低下することができる。
〔（Ｂ）作成中議事録内の未登録単語検索〕
［動作手順］
図１０は、本発明の実施の形態における作成中の議事録から未登録単語を検索する動作手順の一例を示す図である。端末装置２０のユーザである議事録作成者が、作成中の議事録に含まれる特殊単語に誤り等がないかを確認するため、特殊単語辞書の検索を実行する場面を一例として説明する。また、本実施の形態では、会議における発言者のコメント毎に単語を抽出し、発言者毎の特殊単語辞書に抽出された単語が登録されているか否かを検索する。
【００７２】
Ｓ１１１：端末装置２０のユーザ（議事録作成者）が、端末装置２０の操作部２０８であるキーボードやマウスを操作し、作成中議事録を保存する。保存先には、議事録作成支援装置１０の作成中議事録記憶部１２１の作成中議事録保存用フォルダのアドレスを指定する。作成中議事録の保存処理を契機に、議事録作成支援装置１０において、作成中議事録内の単語が、特殊単語辞書において登録されているか否かを検索する未登録単語検索処理が実行される。
【００７３】
Ｓ１１２：議事録作成支援装置１０の特殊単語抽出手段１２は、作成中議事録記憶部１２１において作成中議事録の保存処理が実行されると、保存された議事録内の特殊単語抽出処理を実行する。作成中議事録からの特殊単語抽出処理は、過去議事録から特殊単語を抽出する処理である図８のステップＳ１４〜Ｓ１６と同様の処理となる。具体的には、まず特殊単語の抽出対象である作成中議事録の中から全ての単語を抽出する。次に、抽出された単語が特殊単語であるか否かを判定する。特殊単語であるか否かは、抽出された単語が一般辞書記憶部１２４に記憶されている一般辞書に含まれるか否かにより判定する。抽出された単語が一般辞書に含まれない単語、すなわち特殊単語である場合は、その単語を特殊単語リストとして一時記憶領域であるＲＡＭ２０３等に記憶する。一方、抽出された単語が一般辞書に含まれる場合、すなわち一般的に用いられる単語である場合は、その単語について特殊単語の抽出処理は実行されない。
【００７４】
また、本実施の形態では、特殊単語抽出処理において作成中議事録に記載されている発言者とその発言者による発言内容に含まれる単語を対応付ける。図１１は、作成中議事録に記載されているユーザＡ・Ｂ・Ｃと各ユーザにより発言された特殊単語とが対応付けられた特殊単語リストの一例を示す図である。
【００７５】
Ｓ１１３：特殊単語抽出手段１２は、作成中議事録からの特殊単語抽出処理が終了すると、未登録単語検索手段１３に、未登録単語検索要求を通知する。未登録単語検索要求には、特殊単語リストが記憶されている一時記憶領域のメモリアドレスが指定されている。
【００７６】
Ｓ１１４：未登録単語検索手段１３が、未登録単語検索要求を受け付けると、特殊単語辞書作成・管理手段１１に、未登録単語検索処理の実行を要求する。
【００７７】
Ｓ１１５：特殊単語辞書作成・管理手段１１は、未登録単語検索手段１３からの検索処理の実行要求を受け付けると、未登録単語検索要求に指定されているメモリアドレスを参照し、発言者毎の特殊単語を取得する。ここで、例えば図１１に示されるように、作成中議事録には、発言者はユーザＡ・Ｂ・Ｃであり、各ユーザが発言した特殊単語が、「ユーザＡ：ＳＩＰ、Ｊａｖａ、ＳＭＴＰ」、「ユーザＢ：ＨＴＴＰ」、「ユーザＣ：ＩＭＡＰ、ＰＯＰ」である。この場合、特殊単語辞書作成・管理手段１１は、特殊単語辞書記憶部１２３に記憶されているユーザＡに対応付けられた特殊単語辞書に、「ＳＩＰ、Ｊａｖａ、ＳＭＴＰ」の単語が登録されているか検索する。例えば、ユーザＡの特殊単語辞書には「ＳＩＰ、Ｊａｖａ」は登録されていたが、「ＳＭＴＰ」は未登録であったとすると、「ＳＭＴＰ」が未登録単語リストに記憶される。未登録単語リストは、ＲＡＭ２０３等の一時記憶領域に記憶される。ユーザＢ・ＣについてもユーザＡと同様に、ユーザＢ・Ｃそれぞれの特殊単語が、ユーザＢ・Ｃそれぞれの特殊単語辞書に登録されているか検索される。本事例において、未登録単語リストには「ＳＭＴＰ、ＩＭＡＰ、ＰＯＰ」が記憶された。なお、特殊単語辞書における作成中議事録の特殊単語の登録有無の検索方法として、例えば、公知のＳＱＬ(Structured Query Language)構文を用いる文字列検索を用いる。なお、検索方法は、一般に用いられている一致検出方法であればよい。
【００７８】
Ｓ１１６：特殊単語辞書作成・管理手段は、未登録単語検索処理が終了すると、未登録単語リストが記憶されているメモリアドレスが指定された未登録単語検索要求応答を、未登録単語検索手段１３に通知する。
【００７９】
Ｓ１１７：未登録単語検索手段１３が未登録単語検索要求応答を受け付けると、未登録単語通知・登録確認手段１４に、議事録作成者に未登録単語を通知するための未登録単語通知要求を通知する。未登録単語通知要求には、未登録単語リストが記憶されているメモリアドレスが指定されている。
【００８０】
Ｓ１１８：未登録単語通知・登録確認手段１４が、未登録単語通知要求を受け付けると、未登録単語リスト上の特殊単語に基づき、作成中議事録のファイル編集を行い、未登録であった特殊単語の文字列に下線を引く。なお、未登録単語の通知には、例えば、色を付けたり、マーカーを引いたりする等、議事録作成者が視認し易い方法が用いられればよい。また、未登録単語通知・登録確認手段１４は、未登録である特殊単語の中から特殊単語辞書に登録するためのユーザインタフェース画面を生成する。図１２は、未登録である特殊単語の中から特殊単語辞書に登録する単語を選択するための画面の一例を示す図である。ここで、本事例では、未登録単語は「ＳＭＴＰ、ＩＭＡＰ、ＰＯＰ」であり、図１２に示すように、これらの単語と、登録対象を選択するためのチェックボックスと、登録を実行するための登録ボタンであるソフトキーとが表示される画面が生成される。
【００８１】
Ｓ１１９：端末装置２０の表示部２０７には、未登録単語に下線が引かれた作成中議事録及び図１２に示される未登録単語の登録選択画面が表示される。
【００８２】
Ｓ１２０：議事録作成者は、未登録単語の登録選択画面により特殊単語辞書に登録する単語を選択すると、端末装置２０から議事録作成支援装置２０に、未登録単語の登録要求が送信される。
【００８３】
Ｓ１２１：特殊単語辞書作成・管理手段１１が、未登録単語の登録要求を受け付けると、特殊単語辞書記憶部１２３に記憶されている発言者及び議事録作成者の特殊単語辞書に選択された単語が追加される。
【００８４】
上述した処理により、議事録作成支援システム１は、議事録の作成中において、一般の辞書等には掲載されていない専門用語や略語を自動的に議事録の作成者に通知するため、即時に議事録の誤記の有無を確認し、誤記があった場合は議事録の校正をすることができる。したがって、議事録作成者は、議事録作成支援システム１を利用することにより、これまで語が正しいか否かを確認するのに手間がかかった専門用語・略語等の正確性を自動的に確認することができ、議事録作成の効率化を図ることができる。
〔第一の変形例〕
本発明の実施形態の第一の変形例では、数種類の特殊単語辞書を作成し、未登録単語の検索時にこれらの特殊単語辞書を使用することができる。
【００８５】
［作成される特殊単語辞書の種類と構成］
図１３は、本発明の実施形態の変形例における特殊単語辞書記憶部の情報の構成の一例を示す図である。なお、特殊単語辞書を作成するための特殊単語抽出対象である過去議事録は、図５に示される情報の構成である。
【００８６】
図１３（ａ）は、図５の全ての議事録ファイルに含まれる特殊単語を抽出した場合の特殊単語辞書の構成例である。
【００８７】
図１３（ｂ）は、図５の議事録閲覧者名毎に、閲覧した議事録ファイルに含まれる特殊単語を抽出した場合の特殊単語辞書の構成例である。
【００８８】
図１３（ｃ）は、図５の会議名毎に、各会議名に対応する議事録ファイルに含まれる特殊単語辞書を抽出した場合の特殊単語辞書の構成例である。異なる種別の会議、例えば営業等に関する会議と技術・開発等に関する会議とでは、同一の単語が異なる意味・用法・内容である場合がある。会議毎に特殊単語辞書を作成することにより、単語の使われ方が考慮され、議事録作成者の意図に適合した検索をすることが可能となる。
【００８９】
図１３（ｄ）は、図５の議事録の作成日時に基づき対象期間を指定し、対象期間内の議事録に含まれる特殊単語辞書を抽出した場合の特殊単語辞書の構成例である。対象期間を指定することにより、例えば流行の用語にフォーカスしたり、現在使用されていない単語を排除することができる。
【００９０】
以上のように、議事録作成者は、それぞれの用途に応じて作成された特殊単語辞書を使用することができる。また本発明の実施形態の変形例においては、図６に示される出席者毎の特殊単語辞書及び図１３（ａ）〜（ｄ）の特殊単語辞書がそれぞれ作成され、全ての辞書が特殊単語辞書記憶部１２３に記憶される。但し、ＨＤ１０４ａやメモリの記憶容量が小さい場合等は、特定の特殊単語辞書のみを作成し、記憶するようにしてもよい。
【００９１】
［作成辞書選択ＵＩ］
図１４は、本発明の実施形態の第一の変形例における作成する特殊単語辞書の種類を選択するユーザインタフェース（ＵＩ）画面の一例を示す図である。特殊単語辞書記憶部１２３には、複数の種類の辞書が記憶されているが、特殊単語辞書を作成するための処理時間を短縮したい場合等に特定の特殊単語辞書のみを作成することができる。図１４の画面は、議事録作成支援装置１０又は端末装置２０のいずれの表示部に表示されてもよい。また、主として議事録作成支援システム１の管理者により操作される。図１４の作成したい辞書に対応するチェックボックスを選択しＯＫボタンを押下することにより、選択した辞書が作成される。
【００９２】
［使用辞書選択ＵＩ］
図１５は、本発明の実施形態の第一の変形例において作成中の議事録に含まれる未登録単語を検索するときに使用される特殊単語辞書を選択するユーザインタフェース画面の一例を示す図である。図１５に示されるように、使用する辞書とその辞書に対応するチェックボックスが表示される。図１５に示される「最近よく使われる専門用語・略語の辞書」とは例えば、現時点から遡って１年間のように予め設定する。なお、設定される期間は、任意の期間を設定することができる。議事録作成者がチェックボックスを選択すると、選択したチェックボックスに対応する辞書が、未登録単語の検索において使用される辞書となる。
【００９３】
［発言者情報の使用有無選択ＵＩ］
図１６は、議事録作成者が作成中の議事録の特殊単語が未登録単語であるか否かを検索するときに、議事録に記載されている発言者毎の特殊単語に基づき特殊単語辞書を検索するか否かを選択するユーザインタフェース画面の一例を示す図である。発言者毎に特殊単語が、特殊単語辞書に登録されているか検索したい場合は、図１６の「ＹＥＳ」ボタンを押下する。
【００９４】
［未登録単語検索の動作概要］
図１７は、本発明の実施形態の第一の変形例における作成中の議事録から未登録単語を検索する動作手順の一例を示す図である。図１０と同様に、端末装置２０のユーザである議事録作成者が、作成中の議事録に含まれる特殊単語に誤り等がないかを確認するため、特殊単語辞書の検索を実行する場面を一例として説明する。図１７において、図１０と同じ処理については図１０のステップと同一ステップを付与しており、説明は省略する。
【００９５】
Ｓ１０９：議事録作成者は、端末装置２０において、作成中の議事録に含まれる特殊単語の登録有無を確認するために用いる特殊単語辞書を選択する。特殊単語辞書は、図１５に示される画面により選択される。選択した辞書の情報は端末装置２０のＲＡＭ２０３等のメモリに一時記憶される。
【００９６】
Ｓ１１０：議事録作成者は、端末装置２０において、作成中の議事録に記載されている発言者毎に特殊単語を抽出し、発言者情報に基づき特殊単語辞書の検索を実行するか選択する。発言者情報の使用有無は、図１６に示される画面により選択される。選択した結果は端末装置２０のＲＡＭ２０３等のメモリに一時記憶される。
【００９７】
Ｓ１１１〜Ｓ１１２：図１０と同じ処理である。
【００９８】
Ｓ１１３ａ：議事録作成支援装置１０の特殊単語抽出手段１２は、ステップＳ１０９において選択された使用辞書の情報及び作成中の議事録に含まれる特殊単語が記憶されているメモリアドレスを、未登録単語検索手段１３に通知する。なお、ステップＳ１１０において発言者情報を使用すると選択した場合は、発言者と対応付けられた特殊単語が、未登録単語検索手段１３に通知される。
【００９９】
Ｓ１１４ａ：未登録単語検索手段１３は、特殊単語辞書作成・管理手段１１に、使用辞書及び特殊単語が指定されている未登録単語検索要求を通知する。
【０１００】
Ｓ１１５ａ：特殊単語辞書作成・管理手段１１は、未登録単語検索手段１３からの検索処理の実行要求を受け付けると、選択された使用辞書の中に、作成中議事録に含まれる特殊単語が登録されているか否かを検索する
Ｓ１１６〜Ｓ１２１：図１０と同じ処理である。
【０１０１】
上述したように、本発明の実施形態の第一の変形例では、複数の種類の辞書を作成し、作成した複数の辞書の中から特殊単語辞書の登録有無を確認するための辞書を選択することができる。これにより、議事録作成者の目的や用途に合った未登録単語の検索方法を柔軟に選択することができる。
〔第二の変形例〕
本発明の実施形態の第二の変形例では、特殊単語辞書の作成にあたり過去議事録から特殊単語を抽出する場合、議事録に含まれる特殊単語の使用頻度を考慮せず特殊単語を抽出する抽出処理である。
【０１０２】
図１８は、本発明の実施形態の第二の変形例における特殊単語を抽出する処理手順の一例を示すフローチャート図である。図１８では、図８のステップＳ１６〜Ｓ１７の処理を実行しない。その他ステップは図８と同様であり、説明は省略する。
【０１０３】
特殊単語の抽出にあたり、過去議事録に含まれる特殊単語の使用頻度を考慮しないため、議事録作成支援装置１０の特殊単語抽出処理の負荷を軽減することができる。
〔その他の変形例〕
本発明の実施の形態において、特殊辞書を作成する際に、過去の議事録に含まれる単語のうち一般辞書に登録されていない単語を特殊単語として抽出した。しかし、特殊辞書の作成において、議事録内に記載されている一般辞書に登録されている単語を含む全ての単語に基づき、特殊辞書を作成してもよい。この場合、作成中の議事録に含まれる単語の抽出においても、特殊単語だけでなく、一般辞書に登録されている単語を合わせて抽出することにより、特殊単語の確認のみならず、一般的な用語等の確認をすることができる。
【０１０４】
本発明の実施の形態において、議事録作成支援システム１は、一例としてＭＳ  Ｗｏｒｄ形式の文書ファイルへの適用を挙げたが、例えば、画像ファイルに適用してもよい。画像ファイルとは、例えば、Ｂｉｔｍａｐ、ＪＰＥＧ(Joint Photographic Experts Group)、ＪＰＥＧ2000等である。
【０１０５】
以上、本発明の実施例について詳述したが、本発明はかかる特定の実施形態に限定されるものではなく、特許請求の範囲に記載された本発明の要旨の範囲内において、種々の変形、変更が可能である。
【符号の説明】
【０１０６】
１              議事録作成支援システム
１０            議事録作成支援装置
１１            特殊単語辞書作成・管理手段
１２            特殊単語抽出手段
１３            未登録単語検索手段
１４            未登録単語通知・登録確認手段
２０            端末装置
１２１          作成中議事録記憶部
１２２          過去議事録記憶部
１２３          特殊単語辞書記憶部
１２４          一般辞書記憶部
【先行技術文献】
【特許文献】
【０１０７】
【特許文献１】特開２００９−０６９１７２号公報
【図１】
0006003263.tif 000002
【図２】
0006003263.tif 000003
【図３】
0006003263.tif 000004
【図４】
0006003263.tif 000005
【図５】
0006003263.tif 000006
【図６】
0006003263.tif 000007
【図７】
0006003263.tif 000008
【図８】
0006003263.tif 000009
【図９】
0006003263.tif 000010
【図１０】
0006003263.tif 000011
【図１１】
0006003263.tif 000012
【図１２】
0006003263.tif 000013
【図１３】
0006003263.tif 000014
【図１４】
0006003263.tif 000015
【図１５】
0006003263.tif 000016
【図１６】
0006003263.tif 000017
【図１７】
0006003263.tif 000018
【図１８】
0006003263.tif 000019